(57)【特許請求の範囲】
【請求項１】
内視鏡光学系の接眼レンズ（２）をカメラの対物レンズに着脱可能に連結させる継手装置であって、
前記接眼レンズ（２）を受け入れる収容部材（４）と、
第１のレバーアーム（３４）及び第２のレバーアーム（３６）を有する少なくとも１つの屈曲したレバー（３２）と、
前記継手装置の外側に配置されて手動で操作可能であり、かつ、前記接眼レンズ（２）の前記収容部材（４）への固定を解除可能なグリップ部材（６）と、
を備え、
前記レバー（３２）は前記収容部材（４）に旋回運動可能に支持され、前記レバー（３２）は、前記第１のレバーアーム（３４）と前記第２のレバーアーム（３６）との交差領域に位置する軸（Ａ）を中心として旋回可能であり、
前記第１のレバーアーム（３４）は、前記収容部材（４）に可動に配置されて弾性部材により初期応力が加えられる制御部材を構成して、前記収容部材（４）内に突入し、
前記第２のレバーアーム（３６）は、前記制御部材に運動結合し、かつ、前記収容部材（４）に前記接眼レンズ（２）を固定可能な取付部材を構成して、前記第１のレバーアーム（３４）に対して実質的に直交するように配置され、
前記取付部材を構成する前記第２のレバーアーム（３６）は、第１の突起（４０）と、該第１の突起（４０）と反対を向く側に形成された第２の突起（４２）とを有し、
前記第１の突起（４０）は、固定位置にて前記接眼レンズ（２）の接眼レンズ漏斗部（１０）を形状接合により取り囲むことが可能であり、
前記接眼レンズ（２）が前記収容部材（４）に挿入されていないときに、前記第２の突起（４２）は、前記グリップ部材（６）に形成された切欠き部（４４）に係合可能であり、
前記接眼レンズ（２）が前記収容部材（４）に固定されているときに、前記第２の突起（４２）は、前記グリップ部材（６）の内周面に接触し、
前記接眼レンズ（２）が前記収容部材（４）に挿入されると前記接眼レンズ（２）の前記収容部材（４）への固定が自動的に行われるように、前記取付部材が前記制御部材を介して前記接眼レンズ（２）によって制御される、継手装置。
【請求項２】
前記グリップ部材（６）は、前記接眼レンズ（２）の前記収容部材（４）への固定を解除する場合のみに手動で操作可能である、請求項１に記載の継手装置。
【請求項３】
前記グリップ部材（６）は、弾性部材の弾性力に抗して、前記収容部材（４）への前記接眼レンズ（２）の挿入方向にスライド可能である、請求項２に記載の継手装置。
【請求項４】
１つのコンポーネント（３２）が、前記制御部材（３４）と前記取付部材（３６）との両方を構成する、請求項１〜請求項３のいずれか１つに記載の継手装置。
【請求項５】
前記取付部材は、前記収容部材（４）内で前記接眼レンズ（２）が固定される位置にて前記グリップ部材（６）によってロックされる、請求項１〜請求項４のいずれか１つに記載の継手装置。
【請求項６】
前記取付部材は、前記接眼レンズ（２）を解放する位置に前記グリップ部材（６）を固定するために用いられ得る、請求項１〜請求項５のいずれか１つに記載の継手装置。
【請求項７】
前記レバー（３２）は、前記制御部材を構成する前記第１のレバーアーム（３４）の領域にて弾性ブラケット（３８）により初期応力が加えられる、請求項１〜請求項６のいずれか１つに記載の継手装置。
【請求項８】
前記収容部材（４）には３つの前記レバー（３２）が１２０°の角度間隔で相互に間隔を空けて配置される、請求項１〜請求項７のいずれか１つに記載の継手装置。
【発明の詳細な説明】
【技術分野】
【０００１】
本発明は、内視鏡光学系の接眼レンズをカメラの対物レンズに着脱可能に連結させる継手装置に関する。
【背景技術】
【０００２】
このような種類の継手装置は、目で観察をするために用いられる内視鏡器具の接眼レンズ（アイピース）を、カメラの対物レンズに連結させるために利用される。このような継手装置は、例えば特許文献１に記載されている。この装置には、対物レンズハウジングの遠位端に螺合可能な環状部材が設けられている。この環状部材には内側リングが係合しており、この内側リングは、接眼レンズの円錐台状の近位端部を受け入れる収容部材を構成している。内側リングには、その円周全体にわたって配分された状態で複数の半径方向の貫通孔が形成されており、これら貫通孔は、それぞれ、球状ロック部を収容する役目をする。内側リングは、回転可能な環状のグリップ部材で取り囲まれている。このグリップ部材はその内周面に、内側リングの貫通孔と対応するように、グリップ部材の円周方向で連続的に深くなっていく細長形状の凹部を備えている。グリップ部材には、その環状部材に対する回転方向と反対の方向に、ばねにより初期応力が加えられている。接眼レンズが内側リングに挿入されていない状態でも、球状ロック部は常に、接眼レンズの円錐台状部（テーパ部）を固定するために適切な位置に位置している。接眼レンズを内側リングに挿入するためには、グリップ部材をばねによる初期応力に抗して回転させて、球状ロック部がグリップ部材とその最も深い位置で係合できるようにしなければならない。グリップ部材を解放することで、グリップ部材はばねの応力緩和によって動き、これによって球状ロック部が、グリップ部材の凹部の深さの減少に応じて、内側リングの貫通孔へ内方に向かって押圧され、そこで内側リングの内周面から突き出て接眼レンズのテーパ部に係合する。このようにして、接眼レンズが適切な位置に固定される。継手装置から接眼レンズを取り外す場合には、グリップ部材をばねによる初期応力に抗して再び回転させ、これにより、球状ロック部を再び外方に向かわせて（すなわち接眼レンズから離れさせて）グリップ部材の凹部内に進入させることができる。
【先行技術文献】
【特許文献】
【０００３】
【特許文献１】西独国実用新案第６９２６８３７号明細書
【発明の概要】
【発明が解決しようとする課題】
【０００４】
以上を背景とする本発明の課題は、従来のこの種の継手装置よりも簡単に操作することができる、内視鏡光学系の接眼レンズをカメラの対物レンズに着脱可能に連結させる継手装置を提供することにある。
【課題を解決するための手段】
【０００５】
この課題は、請求項１に記載の構成要件を有する継手装置によって解決される。この継手装置の好ましい発展例は、従属請求項、以下の説明、ならびに図面から明らかとなる。本発明によると、従属請求項に記載の構成要件はそれぞれ単独で、あるいは技術的に有意義な組み合わせとして、請求項１に記載の本発明の解決法を更に発展させて構成することができる。
【０００６】
内視鏡光学系の接眼レンズ（アイピース）をカメラの対物レンズ（カメラレンズ）に着脱可能に連結させる本発明の継手装置は、接眼レンズを受け入れる収容部材を備える。この収容部材は、接眼レンズの円錐台状に拡張する近位端部（一般に、接眼レンズ漏斗部とも呼ばれる）を収容する役目をする。更に本発明の継手装置は、収容部材に接眼レンズを固定する取付手段と、この固定を解除するために継手装置の外側に配置されて手動で操作可能なグリップ部材と、を備える。
【０００７】
本発明によると、収容部材に接眼レンズが挿入されると、接眼レンズが収容部材内にて自動的に固定されるように、取付手段が接眼レンズによって制御される。すなわち、本発明による継手装置は、その収容部材に接眼レンズを挿入するときに、従来技術とは異なり、ロックを予め解除しておく必要がないという利点がある。取付手段（取付部材）は、例えば取付手段に連動可能に接続された（作動接続された）適当な制御手段（制御部材）と接眼レンズとの直接的な接触によって、接眼レンズを収容部材内の適切な位置で固定するように作動制御されるので、継手装置では、上記固定のための追加的な操作は不要である。
【０００８】
本発明による継手装置では、グリップ部材は、上記固定を解除する場合のみに手動で操作可能であるのが好ましく、すなわち、継手装置の収容部材に固定された接眼レンズを継手装置から取り外すときにだけ、グリップ部材を操作するのが好ましい。グリップ部材は、継手装置のユーザーにとって格別にアクセスしやすい継手装置の外側領域（外面領域）に配置されるのが好都合である。
【０００９】
グリップ部材は、接眼レンズを取り外すために、弾性部材の弾性力に抗してスライド可能（摺動可能）であるのが好ましい。それゆえ、グリップ部材は、スライダとして構成されるのが好ましい。接眼レンズに対しての相対的なグリップ部材のスライド方向は、原則として任意である。しかしながら、接眼レンズを取り外すためのグリップ部材のスライド方向が、収容部材への接眼レンズの挿入方向に一致する態様であることが特に好ましい。このようなグリップ部材の運動は自然に、又は直感的に理解されるのが通常である。なぜなら、このような運動は、接眼レンズが収容部材で固定されていない場合であっても、継手装置からの接眼レンズの分離につながることになるからである。
【００１０】
本発明による継手装置では、接眼レンズによる取付手段の制御は、そのために設けられた制御手段を介して行われるのが好ましい。例えば収容部材には、特に弾性部材により初期応力が加えられる少なくとも１つの制御部材が可動に配置されるのが好ましく、この制御部材は、収容部材内の適切な位置で接眼レンズを固定する取付部材と運動結合される（換言すれば、連動可能に接続される）。制御部材は、収容部材内にて、収容部材への接眼レンズの挿入時に接眼レンズに接触して、弾性部材による初期応力に抗して動かされるように配置されるのが好都合であり、この運動が取付部材に伝達されて、取付部材と接眼レンズとの間の摩擦接合及び／又は特に形状接合につながり、これによって接眼レンズが収容部材内の適切な位置にて固定される。
【００１１】
取付部材との運動結合のために、制御部材は伝動手段（例えばギア手段）を介して取付部材と結合され得る（換言すれば、連動可能に接続され得る）。１つのコンポーネントが制御部材と取付部材との両方を構成するのが好ましく、これにより、継手装置の一層簡素な構造を具体化することができる。従って、この態様では、接眼レンズの挿入運動は、制御部材を構成するコンポーネントの一部を介して取付部材へ直接的に伝達され、これにより、取付部材が、接眼レンズを固定するための適切な位置に移動する。
【００１２】
収容部材内の適切な位置での接眼レンズの固定を維持するために、取付部材は、収容部材内で接眼レンズが固定される位置にて、グリップ部材によってロック可能であるのが好都合である。換言すれば、取付部材は、収容部材内で接眼レンズを固定する位置にあるときに、グリップ部材によってロック可能であるのが好都合である。このために、グリップ部材は弾性部材と連結され得、取付部材が適切な位置にて接眼レンズを一旦固定すると、取付部材は、弾性部材の応力緩和によって、すなわち手動操作なしに自動的に、取付部材の運動を妨げる位置に移動させられる。
【００１３】
本発明による継手装置の収容部材内の接眼レンズを取り外すために、グリップ部材は、弾性部材の弾性力に抗してスライド可能であるのが好ましい。グリップ部材は、接眼レンズを解放する位置で固定されるのが好都合であり、この位置では、グリップ部材には弾性部材により初期応力が加えられる。グリップ部材を適切な位置に固定するためには、接眼レンズを取り外すときに接眼レンズを固定する位置から接眼レンズを解放する位置へ動かされ、後者の位置のときに弾性部材の弾性力の作用に抗してグリップ部材を適切な位置に固定する取付部材を備えるのが好ましい。
【００１４】
本発明による継手装置は、２つのレバーアームを有する屈曲したレバーを備えるのが好ましく、レバーは２つのレバーアームの交差領域に位置する軸を中心として旋回可能である。更にこの態様では、第１のレバーアームが少なくとも部分的に収容部材内に突入する一方、第２のレバーアームが取付部材を構成して第１のレバーアームに対して実質的に直交するように（垂直に向くように）配置される。この態様では、第１のレバーアームは制御部材を構成する一方、第２のレバーアームは、収容部材内で接眼レンズを適切な位置で固定する取付部材を構成する。
【００１５】
レバーは収容部材に旋回運動可能に支持されるのが好ましい。制御部材を構成する第１のレバーアームは、接眼レンズを挿入するための挿入開口部と反対を向いているほうの収容部材の端部（この端部は、好ましくは、接眼レンズに対するストッパを構成する）にて収容部材内に突入しており、そこで、取付部材（作動部材）を構成する第２のレバーアームの作動制御を行うために、接眼レンズにより接触され得るのが好都合である。このときにレバーは、取付部材を構成する第２のレバーアームが、接眼レンズの固定のために、収容部材に形成された開口部を通って収容部材の内部へ入るように旋回することができるように、また、接眼レンズの解放のために、これから半径方向外側に向かって収容部材から外に出るように旋回することができるように、収容部材に旋回運動可能に支持され得る。
【００１６】
レバーは、弾性部材である弾性ブラケット（例えば、スプリングブラケット）により初期応力が加えられるのが好ましい。この弾性ブラケットは、渦巻ばね部材で構成され得、その弾性力に抗しつつ収容部材に挿入された接眼レンズが、その長手方向に対して実質的に垂直方向へ作用するように配置されるのが好ましい。グリップ部材の操作によって接眼レンズが取り外された後に、弾性ブラケットの応力緩和によって、制御部材を構成する第１のレバーアームが少なくとも部分的に収容部材内に突入すると共に、取付部材を構成する第２のレバーアームが収容部材の内部から外側に向かって旋回し、このようにして、収容部材に挿入されるべき接眼レンズのアクセスを妨げない位置へ、レバーが動いて戻る。
【００１７】
収容部材に接眼レンズを固定するために、取付部材を構成する第２のレバーアームには、第１の突起が形成されているのが好ましく、この突起は、固定位置にて接眼レンズの接眼レンズ漏斗部を形状接合により取り囲むのが好ましい。このために第１の突起は、第２のレバーアームの長手方向に対して実質的に直交するように配置され得る（垂直方向に向くように配置され得る）。第１の突起は、接眼レンズ漏斗部のテーパ状に拡張する領域（テーパ部）に面接触するように（面状に当接するように）形成されるのが好ましい。
【００１８】
取付部材を構成する第２のレバーアームは、第１の突起に加えて、この突起と反対を向く側に形成された第２の突起を有するのが好ましい。この第２の突起は、取付部材が接眼レンズを固定する適切な位置にあるときに、取付部材のほうを向いているグリップ部材の内周面に接触して支持されるのが好ましく、これによって取付部材がこの位置でロックされる。
【００１９】
更に、取付部材を構成する第２のレバーアームの第２の突起は、グリップ部材に形成された切欠き部（凹部）に係合するのが好ましい。この切欠き部は、接眼レンズの取り外し時の運動方向と反対を向いているグリップ部材の端部に形成されるのが好都合である。接眼レンズを取り外すためにグリップ部材が弾性部材の弾性力に抗して摺動すると、第２の突起が切欠き部に係合して、フックのように機能して、グリップ部材を弾性部材の弾性力の作用に抗して固定し得る。
【００２０】
本発明による継手装置の別の好ましい発展例では、好ましくは１２０°の角度間隔で相互に間隔を空けて配置される３つのレバーが収容部材（換言すれば接続部分）に配置され得る。このことは、収容部材内にある接眼レンズを、接眼レンズ用の取付部材を構成するレバーの第２のレバーアームによって、収容部材内で３点案内に類似するようにセンタリングすることができ、これにより、接眼レンズの光学軸をカメラの対物レンズの光学軸と一致させることができるという意味で好ましい。
【００２１】
次に、図面に示す実施形態を参照しながら、本発明について詳しく説明する。
【図面の簡単な説明】
【００２２】
【図１】接眼レンズの挿入方向で見た継手装置を示す概略平面図である。
【図２】接眼レンズの挿入方向と反対の方向で見た、図１の継手装置を示す図である。
【図３】図１の切断線III−IIIに沿う図１の継手装置の断面を示す図である。
【図４】図３の継手装置において、接眼レンズが挿入された状態を示す図である。
【発明を実施するための形態】
【００２３】
図示の継手装置は、内視鏡光学系の接眼レンズ（アイピース）２（図４には一点鎖線で示す）を、図示しないカメラの対物レンズ（カメラレンズ）に着脱可能に連結させるものであり、この継手装置の主要な構成要素には、接眼レンズ２を受け入れる収容部材４と、収容部材４への接眼レンズ２の固定を解除するために（換言すれば収容部材４から接眼レンズ２を取り外すために）用いられ得るグリップ部材６とが含まれる。
【００２４】
収容部材４では、接眼レンズ２の接眼レンズ漏斗部１０の最大の外径と内径が対応する中空円筒状の区域８が、接眼レンズ漏斗部１０を受け入れるための収容スペースを形成している。接眼レンズ２を挿入するために、区域８は一方の端部で開口している。区域８の他方の端部には、半径方向内側を向く環状の鍔１２と、半径方向外側を向く環状の鍔１４とが形成されている。鍔１２は、収容部材４に挿入された接眼レンズ２に対する当接面を形成する。鍔１２によって形成される開口部は、接眼レンズ２の観察レンズの直径に実質的に相当する直径を有している。
【００２５】
接眼レンズ２の挿入開口部と反対を向く鍔１２の側には、収容部材４の更に別の中空円筒状の区域１８が続いている。この区域１８は、収容部材４の区域８と同軸に配置されている。区域１８は、カメラの対物レンズに収容部材４を取り付ける役目をするものであり、区域８の鍔１２に形成された開口部と共に、接眼レンズ２からカメラの対物レンズへの光学通路を形成する。カメラの対物レンズへの取付のために、区域１８は、その外周面に、カメラの対物レンズのハウジングの遠位端に形成された雌ねじと対応するねじ山（雄ねじ）を有しており、これにより、収容部材４をカメラの対物レンズにねじ止めすることができる。区域１８の内径は、カメラの対物レンズの遠位側のレンズ直径に実質的に相当している。
【００２６】
グリップ部材６は中空円筒状の内部空間を形成している。この内部空間では、収容部材４がグリップ部材６と同軸に配置されており、収容部材４はグリップ部材６によってほぼ完全に収容されている。接眼レンズ２を受け入れる収容部材４の挿入開口部のほうを向いているグリップ部材６の端部には、半径方向内側に向かう環状の鍔２０が形成されている。これと反対を向いているほうのグリップ部材６の端部に、グリップ部材６は半径方向外側を向くフランジ状の拡張部２２を有しており、この拡張部は、グリップ部材６を使用する人のためのグリップ仕切（グリップ可能範囲の端部）を形成している。
【００２７】
鍔２０によって形成されるグリップ部材６の開口部の直径は、収容部材４の区域８の外径に対応しており、区域８に形成された鍔１４は、グリップ部材６に形成された鍔２０に半径方向で重なり合っている（換言すれば、オーバーラップしている）。図３及び図４に示すように、グリップ部材６の鍔２０の内面は、そこに直立するように配置されたコイルばね（弾性部材）２４を支持する載置部（支持部）としての役目をする。グリップ部材６の鍔２０と反対を向いているほうのコイルばね２４の端部で、収容部材４は、その区域８に形成された鍔１４によって支持されている。鍔２０と反対を向いているほうのグリップ部材６の端部の領域には、その内周面を周回するように溝２６が凹設されている。
【００２８】
この溝２６は、止めリング２８を収容する役目をする。止めリング２８は収容部材４の区域８に形成された鍔１４と半径方向で重なり合っており（換言すれば、オーバーラップしており）、これにより、グリップ部材６の内部から収容部材４が抜け落ちることを防止している。
【００２９】
区域８には、その円周に配分された状態で、３つの貫通部３０が、それぞれ、１２０°の角度間隔を空けて配置されている。３つの貫通部３０は、それぞれ、鍔１２の半径方向外側領域から、区域８の中空円筒状の領域の側面（外套面）の長さ全体にわたって連続して延びており、区域８の内部へのアクセス開口部を形成する。各貫通部３０は、レバー３２を収容する役目をする。ここで、レバー３２は、鍔１２の領域内で旋回軸Ａを中心として旋回運動可能に支持されるように、貫通部３０内に取り付けられている。
【００３０】
レバー３２は屈曲しており、２つのレバーアーム３４，３６を有する１つのコンポーネントである。２つのレバーアーム３４，３６は、互いに実質的に直交するように配置されている。第１のレバーアームであるレバーアーム３４は実質的に貫通部３０の中で鍔１２の領域に配置されている。第２のレバーアームであるレバーアーム３６は実質的に貫通部３０の中で区域８の側面（外套面）の領域に配置されている。図３に示すように、各レバー３２のレバーアーム３４は、それぞれ、接眼レンズ２が収容部材４の区域８に挿入されていないときには、区域８の内部に部分的に入り込む一方、レバーアーム３６は区域８の内部に入り込んでいない。この位置では、各レバー３２はそれぞれ弾性ブラケット（弾性部材）３８によって保持される。このために、個々の弾性ブラケット３８は、収容部材４の区域８と反対を向いているほうのレバーアーム３４の側にレバーアーム３４に対して実質的に横向きに向くように当接し（換言すれば、実質的に直交するように当接し）、そこでレバー３２を押圧力（圧縮力）で付勢するように、収容部材４に取り付けられている。
【００３１】
レバーアーム３６は、その端部が球状に拡張されており、この端部には、レバーアーム３６の長手方向に対して実質的に横向きに（換言すれば、実質的に直角に）区域８の内部の方向を向く第１の突起４０と、この突起４０と実質的に反対方向を向く第２の突起４２とが形成されている。第２の突起４２は、レバーアーム３６の残部に角張って接続する移行部を有する。
【００３２】
グリップ部材６には、そこに形成された鍔２０を起点として、１２０°の角度間隔でレバー３２の位置に対応するように、収容部材４に溝（切欠き部）４４が形成されており、この溝は半径方向で鍔２０の幅全体にわたって延び、次いで、グリップ部材６の側面（外套面）でその長手方向に延びている。
【００３３】
継手装置の機能形態は以下の通りである。
【００３４】
図３に示すように、接眼レンズ２が収容部材４に挿入されていない場合には、弾性ブラケット３８は、レバーアーム３４が区域８の鍔１２の領域で区域８の内部へ部分的に突入し、かつ、レバーアーム３６が収容部材４の長軸Ｂに対して傾斜して収容部材８の内部に入り込まない位置へとレバー３２を押圧する。この位置では、レバー３２は適切な位置で固定される。なぜなら、レバーアーム３６に形成された第２の突起４２が、グリップ部材６に形成された溝４４に入り込んで係合するからである。この場合に、コイルばね２４は、収容部材４の鍔１４とグリップ部材６との間で応力が加えられている（圧縮力が加えられている）。
【００３５】
接眼レンズ２は、収容部材４の区域８の内部へ自由にアクセスすることができる。図４に示すように、接眼レンズ２が収容部材４の区域８の内部に挿入されると、接眼レンズ２は、区域８の鍔１２に当接する前に、区域８の内部へ部分的に突入しているレバーアーム３４の部分に接触し、弾性ブラケット３８の弾性力（ばね力）に抗してレバー３２を押圧して、レバー３２を、グリップ部材６がレバーアーム３６から外れる位置に動かす。そして、レバーアーム３６は収容部材４の長軸Ｂの方向へ旋回して、レバーアーム３６に形成された第１の突起４０が接眼レンズ２の接眼レンズ漏斗部１０のテーパ状に面取りされた領域に当接し、このようにして、接眼レンズ２の近位端部を形状接合により取り囲む。この点で、レバーアーム３４はレバーアーム３６の運動を制御する制御部材を構成しており、また、レバーアーム３６は、収容部材４内で接眼レンズ２を適切な位置に固定する取付部材（取付手段）を構成している。
【００３６】
更に、レバー３２のレバーアーム３６が区域８の内部に向かって動くことにより、レバーアーム３６の第２の突起４２とグリップ部材６に形成された溝４４との係合が解除される。これにより、グリップ部材６は、収容部材４に対して相対的に、コイルばね２４の応力解除によって自動的に動き、グリップ部材６がレバーアーム３６の第２の突起４２の外面に直接配置され、これにより、レバーアーム３６が接眼レンズ２から離れることが抑制され、この際に、レバーアーム３６が、接眼レンズ２を固定する適切な位置でロックされる。
【００３７】
収容部材４内の接眼レンズ２を取り外すためには、収容部材４への接眼レンズ２の挿入方向へ、グリップ部材６をコイルばね２４の弾性力（ばね力）に抗してスライドさせる。これにより、レバーアーム３６の第２の突起４２とグリップ部材６の内面との接触が解消され、この結果、初期応力が加えられた弾性ブラケット３８によってレバー３２が旋回して、レバーアーム３６が接眼レンズ２から離れるように外方に向かって動き、そして、収容部材４からの取り外しのために接眼レンズ２を解放する。これと同時に、レバーアーム３６に形成された外側の突起である第２の突起４２は、グリップ部材６に形成された溝４４に入り込んで再び係合し、コイルばね２４に応力を加えつつ、グリップ部材６をその位置で固定する。
なお、出願当初の請求項は以下の通りであった。
請求項１：
内視鏡光学系の接眼レンズ（２）をカメラの対物レンズに着脱可能に連結させる継手装置であって、
前記接眼レンズ（２）を受け入れる収容部材（４）と、
該収容部材（４）に前記接眼レンズ（２）を固定する取付手段と、
前記継手装置の外側に配置されて手動で操作可能であり、かつ、前記固定を解除するグリップ部材（６）と、
を備え、
前記接眼レンズ（２）が前記収容部材（４）に挿入されると前記固定が自動的に行われるように、前記取付手段が前記接眼レンズ（２）によって制御されることを特徴とする継手装置。
請求項２：
前記グリップ部材（６）は、前記固定を解除する場合のみに手動で操作可能であることを特徴とする、請求項１に記載の継手装置。
請求項３：
前記グリップ部材（６）は、弾性部材の弾性力に抗してスライド可能であり、好ましくは、前記収容部材（４）への前記接眼レンズ（２）の挿入方向にスライド可能であることを特徴とする、請求項２に記載の継手装置。
請求項４：
前記収容部材（４）には、弾性部材により初期応力が加えられる少なくとも１つの制御部材が可動に配置されており、該制御部材は、前記収容部材（４）に前記接眼レンズ（２）を固定する取付部材と運動結合されることを特徴とする、請求項１〜請求項３のいずれか１つに記載の継手装置。
請求項５：
１つのコンポーネント（３２）が、前記制御部材（３４）と前記取付部材（３６）との両方を構成することを特徴とする、請求項４に記載の継手装置。
請求項６：
前記取付部材は、前記収容部材（４）内で前記接眼レンズ（２）が固定される位置にて前記グリップ部材（６）によってロックされることを特徴とする、請求項４又は請求項５に記載の継手装置。
請求項７：
前記取付部材は、前記接眼レンズ（２）を解放する位置に前記グリップ部材（６）を固定するために用いられ得ることを特徴とする、請求項４〜請求項６のいずれか１つに記載の継手装置。
請求項８：
少なくとも１つの屈曲したレバー（３２）を備えており、該レバー（３２）は２つのレバーアーム（３４，３６）を有し、前記レバー（３２）は、好ましくは、前記収容部材（４）に旋回運動可能に支持され、前記レバー（３２）は、前記２つのレバーアーム（３４，３６）の交差領域に位置する軸（Ａ）を中心として旋回可能であり、
第１のレバーアーム（３４）が前記制御部材を構成して前記収容部材（４）内に突入する一方、
第２のレバーアーム（３６）が前記取付部材を構成して前記第１のレバーアーム（３４）に対して実質的に直交するように配置されることを特徴とする、請求項４〜請求項７のいずれか１つに記載の継手装置。
請求項９：
前記レバー（３２）は、好ましくは、前記制御部材を構成する前記第１のレバーアーム（３４）の領域にて弾性ブラケット（３８）により初期応力が加えられることを特徴とする、請求項８に記載の継手装置。
請求項１０：
前記取付部材を構成する前記第２のレバーアーム（３６）は第１の突起（４０）を有し、該第１の突起（４０）は、固定位置にて前記接眼レンズ（２）の接眼レンズ漏斗部（１０）を形状接合により取り囲むことを特徴とする、請求項８又は請求項９に記載の継手装置。
請求項１１：
前記取付部材を構成する前記第２のレバーアーム（３６）は、前記第１の突起（４０）と反対を向く側に形成された第２の突起（４２）を有することを特徴とする、請求項１０に記載の継手装置。
請求項１２：
前記取付部材を構成する前記第２のレバーアーム（３６）の前記第２の突起（４２）は、前記グリップ部材（６）に形成された切欠き部（４４）に係合することを特徴とする、請求項１１に記載の継手装置。
請求項１３：
前記収容部材（４）には、好ましくは、３つの前記レバー（３２）が、１２０°の角度間隔で相互に間隔を空けて配置されることを特徴とする、請求項８〜請求項１２のいずれか１つに記載の継手装置。
【符号の説明】
【００３８】
２  接眼レンズ
４  収容部材
６  グリップ部材
８  区域
１０  接眼レンズ漏斗部
１２  鍔
１４  鍔
１６  開口部
１８  区域
２０  鍔
２２  拡張部
２４  コイルばね
２６  溝
２８  止めリング
３０  貫通部
３２  レバー
３４  レバーアーム
３６  レバーアーム
３８  弾性ブラケット
４０  第１の突起
４２  第２の突起
４４  溝
Ａ  旋回軸
Ｂ  長軸
【図１】
0005829058.tif 000002
【図２】
0005829058.tif 000003
【図３】
0005829058.tif 000004
【図４】
0005829058.tif 000005